(57)【特許請求の範囲】
【請求項１】
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を取得する第２の情報取得手段と、
前記新規取引の支払金額に基づく前記第１の情報の更新を行うか判断する判断手段と、
前記判断手段が更新すると判断すると、前記新規取引の前記支払金額に基づき前記第１の情報を更新する更新手段と、
前記新規取引の情報が印刷される新規発行レシートに、更新後の前記第１の情報を印刷する記録手段と、
を有するＰＯＳ（Point Of Sale）装置。
【請求項２】
請求項１に記載のＰＯＳ装置において、
前記レシートには、コード化された前記第１の情報が印刷されるＰＯＳ装置。
【請求項３】
請求項１又は２に記載のＰＯＳ装置において、
前記判断手段は、前記新規取引を行った店舗が前記サービスの提供に加盟しているか判断し、加盟している場合には更新すると判断し、加盟していない場合には更新しないと判断するＰＯＳ装置。
【請求項４】
請求項３に記載のＰＯＳ装置において、
前記レシートには、複数の前記サービス各々に対応する複数の前記第１の情報が印刷され、
前記第１の情報は、対応する前記サービスを識別するサービス識別情報をさらに含み、
前記判断手段は、前記新規取引を行った店舗が加盟している前記サービスのリストに基づき、複数の前記第１の情報各々を更新するか判断するＰＯＳ装置。
【請求項５】
請求項１から４のいずれか１項に記載のＰＯＳ装置において、
前記レシートには、１つ又は複数の店舗が属する複数のグループ各々に対応する複数の前記第１の情報が印刷され、
前記第１の情報は、対応する前記グループを識別するグループ識別情報をさらに含み、
前記判断手段は、前記新規取引を行った店舗が属する前記グループのリストに基づき、複数の前記第１の情報各々を更新するか判断するＰＯＳ装置。
【請求項６】
請求項５に記載のＰＯＳ装置において、
前記判断手段は、前記新規取引を行った店舗が属する前記グループに対応する前記第１の情報を更新すると判断するＰＯＳ装置。
【請求項７】
請求項１から６のいずれか１項に記載のＰＯＳ装置において、
前記第１の情報は、有効期限を示す情報をさらに含み、
前記判断手段は、前記有効期限が切れていない場合、前記第１の情報を更新すると判断し、前記有効期限が切れている場合、前記第１の情報を更新しないと判断するＰＯＳ装置。
【請求項８】
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、ＰＯＳ装置から受信する第２の情報取得手段と、
前記新規取引の支払金額に基づく前記第１の情報の更新を行うか判断する判断手段と、
前記判断手段が更新すると判断すると、前記新規取引の前記支払金額に基づき前記第１の情報を更新する更新手段と、
前記ＰＯＳ装置に更新後の前記第１の情報を送信する送信手段と、
を有する情報処理装置。
【請求項９】
請求項８に記載の情報処理装置において、
前記第１の情報取得手段は、発行済みのレシートから直接、又は、発行済みのレシートから前記第１の情報を取得した前記ＰＯＳ装置から、前記第１の情報を取得する情報処理装置。
【請求項１０】
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を取得する第２の情報取得工程と、
前記新規取引の支払金額に基づく前記第１の情報の更新を行うか判断する判断工程と、
前記判断工程で更新すると判断されると、前記新規取引の前記支払金額に基づき前記第１の情報を更新する更新工程と、
前記新規取引の情報が印刷される新規発行レシートに、更新後の前記第１の情報を印刷する記録工程と、
を有するＰＯＳ装置の制御方法。
【請求項１１】
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を、ＰＯＳ装置から受信する第２の情報取得工程と、
前記新規取引の支払金額に基づく前記第１の情報の更新を行うか判断する判断工程と、
前記判断工程で更新すると判断されると、前記新規取引の前記支払金額に基づき前記第１の情報を更新する更新工程と、
前記ＰＯＳ装置に更新後の前記第１の情報を送信する送信工程と、
を有する情報処理方法。
【請求項１２】
コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を取得する第２の情報取得手段、
前記新規取引の支払金額に基づく前記第１の情報の更新を行うか判断する判断手段、
前記判断手段が更新すると判断すると、前記新規取引の前記支払金額に基づき前記第１の情報を更新する更新手段、
前記新規取引の情報が印刷される新規発行レシートに、更新後の前記第１の情報を印刷する記録手段、
として機能させるプログラム。
【請求項１３】
コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を、ＰＯＳ装置から受信する第２の情報取得手段、
前記新規取引の支払金額に基づく前記第１の情報の更新を行うか判断する判断手段、
前記判断手段が更新すると判断すると、前記新規取引の前記支払金額に基づき前記第１の情報を更新する更新手段、
前記ＰＯＳ装置に更新後の前記第１の情報を送信する送信手段、
として機能させるプログラム。
【請求項１４】
ＰＯＳ装置と情報処理装置とを有するＰＯＳシステムにおいて、
情報処理装置が、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、前記ＰＯＳ装置から受信する第２の情報取得手段と、
前記新規取引の前記支払金額に基づき前記第１の情報を更新する更新手段と、
前記ＰＯＳ装置に更新後の前記第１の情報を送信する送信手段と、
を有し、
前記ＰＯＳ装置が、
前記情報処理装置から受信した更新後の前記第１の情報を前記新規取引の情報が印刷される新規発行レシートに印刷する記録手段を有するＰＯＳシステム。
【発明の詳細な説明】
【技術分野】
【０００１】
本発明は、ＰＯＳ装置、情報処理装置、ＰＯＳシステム、ＰＯＳ装置の制御方法、情報処理方法、及び、プログラムに関する。
【背景技術】
【０００２】
特許文献１には、顧客が過去に購入した商品名、個数、年月日などのデータを含む商品購入履歴を示すコードをレシートに印刷し、新たな取引時に当該コードを読み取って商品購入履歴を取得し、新たな取引で購入された商品名、個数等のデータを商品購入履歴に合算し、合算後の商品購入履歴を示すコードを新たな取引時のレシートに印刷するレシート発行装置が開示されている。
【０００３】
特許文献２には、会計端末から収集した客買上商品のデータに基づいて客別に売上実績を集計し、売上実績に基づきランク付けを行い、ランクに応じてクーポンの発券制御データを会計端末に送信するホスト装置が開示されている。
【先行技術文献】
【特許文献】
【０００４】
【特許文献１】特開２０１０−９１５８号公報
【特許文献２】特開２００２−３６７０３７号公報
【発明の概要】
【発明が解決しようとする課題】
【０００５】
１つ又は複数の所定の店舗での支払金額の合計が所定値を超えると、所定のサービス（例：割引サービス、無料サービス等）を受けられるサービスがある。例えば、複数の店舗を有するショッピングモール等でこのようなサービスが利用される。
【０００６】
このようなサービスにおいては、複数の店舗での支払金額の合計や、上記所定値までの残金額を把握する手段が必要になる。例えば、利用者は、各店舗で受け取ったレシートを参照し、支払金額を自ら足し合わせたり、また、その後に所定値から合計を差し引いたりすることで、把握しており、ユーザにとって手間がかかり面倒であるという問題があった。
【０００７】
特許文献１では、レシートに購入履歴を示すコードが印字されているが、複数の店舗での支払金額の合計や上記所定値までの残金額を示す情報は印字されておらず、上記問題を解決することはできない。
【０００８】
特許文献２では、売上実績を集計するために、ホスト装置に客買上商品のデータを送信する機能を備えた会計装置が必要になるという問題がある。
【課題を解決するための手段】
【０００９】
本発明によれば、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を取得する第２の情報取得手段と、
前記新規取引の支払金額に基づく前記第１の情報の更新を行うか判断する判断手段と、
前記判断手段が更新すると判断すると、前記新規取引の前記支払金額に基づき前記第１の情報を更新する更新手段と、
前記新規取引の情報が印刷される新規発行レシートに、更新後の前記第１の情報を印刷する記録手段と、
を有するＰＯＳ装置が提供される。
【００１０】
また、本発明によれば、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、ＰＯＳ装置から受信する第２の情報取得手段と、
前記新規取引の支払金額に基づく前記第１の情報の更新を行うか判断する判断手段と、
前記判断手段が更新すると判断すると、前記新規取引の前記支払金額に基づき前記第１の情報を更新する更新手段と、
前記ＰＯＳ装置に更新後の前記第１の情報を送信する送信手段と、
を有する情報処理装置が提供される。
【００１１】
また、本発明によれば、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を取得する第２の情報取得工程と、
前記新規取引の支払金額に基づく前記第１の情報の更新を行うか判断する判断工程と、
前記判断工程で更新すると判断されると、前記新規取引の前記支払金額に基づき前記第１の情報を更新する更新工程と、
前記新規取引の情報が印刷される新規発行レシートに、更新後の前記第１の情報を印刷する記録工程と、
を有するＰＯＳ装置の制御方法が提供される。
【００１２】
また、本発明によれば、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を、ＰＯＳ装置から受信する第２の情報取得工程と、
前記新規取引の支払金額に基づく前記第１の情報の更新を行うか判断する判断工程と、
前記判断工程で更新すると判断されると、前記新規取引の前記支払金額に基づき前記第１の情報を更新する更新工程と、
前記ＰＯＳ装置に更新後の前記第１の情報を送信する送信工程と、
を有する情報処理方法が提供される。
【００１３】
また、本発明によれば、
コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を取得する第２の情報取得手段、
前記新規取引の支払金額に基づく前記第１の情報の更新を行うか判断する判断手段、
前記判断手段が更新すると判断すると、前記新規取引の前記支払金額に基づき前記第１の情報を更新する更新手段、
前記新規取引の情報が印刷される新規発行レシートに、更新後の前記第１の情報を印刷する記録手段、
として機能させるプログラムが提供される。
【００１４】
また、本発明によれば、
コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を、ＰＯＳ装置から受信する第２の情報取得手段、
前記新規取引の支払金額に基づく前記第１の情報の更新を行うか判断する判断手段、
前記判断手段が更新すると判断すると、前記新規取引の前記支払金額に基づき前記第１の情報を更新する更新手段、
前記ＰＯＳ装置に更新後の前記第１の情報を送信する送信手段、
として機能させるプログラムが提供される。
【００１５】
また、本発明によれば、
ＰＯＳ装置と情報処理装置とを有するＰＯＳシステムにおいて、
情報処理装置が、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、前記ＰＯＳ装置から受信する第２の情報取得手段と、
前記新規取引の前記支払金額に基づき、前記第１の情報を更新する更新手段と、
前記ＰＯＳ装置に更新後の前記第１の情報を送信する送信手段と、
を有し、
前記ＰＯＳ装置が、
前記情報処理装置から受信した更新後の前記第１の情報を前記新規取引の情報が印刷される新規発行レシートに印刷する記録手段を有するＰＯＳシステムが提供される。
【発明の効果】
【００１６】
本発明によれば、複数の店舗での支払金額の合計や所定値までの残金額を容易に把握することができる。
【図面の簡単な説明】
【００１７】
【図１】本実施形態のＰＯＳ装置の概要の一例を示す図である。
【図２】本実施形態のＰＯＳ装置のハードウエア構成の一例を示す図である。
【図３】本実施形態のＰＯＳ装置の機能ブロック図の一例を示す図である。
【図４】本実施形態のＰＯＳ装置が発行するレシートの一例を示す図である。
【図５】本実施形態のＰＯＳ装置の処理の流れの一例を示すフローチャートである。
【図６】本実施形態のＰＯＳ装置が発行するレシートの一例を示す図である。
【図７】本実施形態の情報処理装置（付属装置）の概要の一例を示す図である。
【図８】本実施形態の情報処理装置のハードウエア構成の一例を示す図である。
【図９】本実施形態の情報処理装置（付属装置）の概要の一例を示す図である。
【図１０】本実施形態の情報処理装置（付属装置）の概要の一例を示す図である。
【図１１】本実施形態のＰＯＳ装置の機能ブロック図の一例を示す図である。
【図１２】本実施形態のＰＯＳ装置及び情報処理装置に登録されるリストの一例を模式的に示す図である。
【図１３】本実施形態のＰＯＳ装置が発行するレシートの一例を示す図である。
【図１４】本実施形態のＰＯＳ装置及び情報処理装置に登録されるリストの一例を模式的に示す図である。
【図１５】本実施形態のＰＯＳ装置が発行するレシートの一例を示す図である。
【図１６】本実施形態の情報処理装置（サーバ）の概要の一例を示す図である。
【図１７】本実施形態の情報処理装置（サーバ）の概要の一例を示す図である。
【図１８】本実施形態のＰＯＳ装置及び情報処理装置に登録されるリストの一例を模式的に示す図である。
【図１９】本実施形態のＰＯＳ装置及び情報処理装置に登録されるリストの一例を模式的に示す図である。
【図２０】本実施形態の情報処理装置の機能ブロック図の一例を示す図である。
【図２１】本実施形態の情報処理装置の機能ブロック図の一例を示す図である。
【図２２】本実施形態の情報処理装置の処理の流れの一例を示すフローチャートである。
【発明を実施するための形態】
【００１８】
＜第１の実施形態＞
まず、本実施形態の概要について説明する。本実施形態のＰＯＳ装置は、取引対象（物、サービス等）を登録する入力を受付ける入力受付処理、取引内容を精算する精算処理、及び、レシート（例：紙媒体のレシート。）を発行する発行処理等を実行する。
【００１９】
ＰＯＳ装置は、例えば小売店等の店舗で利用される。当該ＰＯＳ装置は、１つ又は複数の所定の店舗での支払金額の合計が所定値を超えると、所定のサービスを受けられるサービスに加盟する店舗での利用に適する。
【００２０】
所定のサービスは様々であり、特段制限されない。例えば、支払金額の合計が所定値を超えると駐車場料金が無料になるサービスや、駐車場料金が割引になるサービスや、所定の景品（かき氷、商品券等）をプレゼントするサービス等が考えられる。
【００２１】
本実施形態のＰＯＳ装置は、取引の都度発行するレシートに、取引の情報（取引明細。例：取引日時、取引店舗、取引商品、点数、価格、合計金額、預かり金額、釣銭等。）に加えて、それまでの支払金額の積算値又は所定値と積算値との差分の少なくとも一方を含む第１の情報（履歴情報）を印刷する。
【００２２】
ＰＯＳ装置は、新たな取引時に、以前に発行された発行済みのレシートから第１の情報を取得する。そして、当該第１の情報を、新規取引の支払金額に基づき更新する。その後、新規取引の情報を印刷するレシートに、更新後の第１の情報を印刷する。
【００２３】
図１に、本実施形態のＰＯＳ装置の入出力及び演算処理の概要の一例を示す。図示するように、ＰＯＳ装置には、コード及び新規取引情報が入力される。
【００２４】
新規取引情報は、取引対象（物、サービス等）の詳細（識別情報、価格、点数等）を示す情報である。例えば、オペレータがＰＯＳ装置を操作し、商品に付されているバーコードを読み取らせたり、ＰＯＳ装置に備えられた操作ボタンやタッチパネル等を操作したりすることで、新規取引情報が入力される。そして、ＰＯＳ装置は、入力された新規取引情報に基づき、精算処理等を実行する。結果、新規取引の支払金額が算出される。
【００２５】
コードは、例えば２次元コード（例：ＱＲコード（登録商標））であり、それまでの取引の支払金額を積算した積算金額、及び、所定のサービス（例：割引サービス、無料サービス等）を受けるための下限値である目標金額から上記積算金額を引いた残金額の少なくとも一方を含む第１の情報を示す。コードは、発行済みのレシートに印刷されている。
【００２６】
なお、特別な言及がない限り、以下で現れる「コード」は、上述したコードを意味する。また、特別な言及がない限り、以下で現れる「コード化」は、文字コード等で表されたテキスト情報や、数値情報等を、上述したコードに変換することを意味する。また、特別な言及がない限り、以下で現れる「コード化前の情報」は、上述したコードに変換する前の情報を意味し、例えば、文字コード等で表されたテキスト情報や数値情報等を含む。また、特別な言及がない限り、以下で現れる「（コードを）復号」は、上述したコードを、例えば文字コード等で表されたテキスト情報や数値情報等に変換することを意味する。
【００２７】
顧客は、新規取引時に、保有する発行済みのレシートをオペレータに渡す。すると、オペレータはＰＯＳ装置を操作し、受け取ったレシートに印刷されているコードを読み取らせる。結果、ＰＯＳ装置へのコードの入力が実現される。
【００２８】
ＰＯＳ装置は、入力されたコードを復号する。結果、ＰＯＳ装置は、復号後の第１の情報を得る。そして、ＰＯＳ装置は、新規取引の支払金額に基づき、復号後の第１の情報を更新する。具体的には、「過去の取引の支払金額を積算した積算金額に新規取引の支払金額を加える」、または、「所定のサービスを受けるための下限値である目標金額から積算金額を引いた残金額から新規取引の支払金額を差し引く」等により、復号後の第１の情報を更新する。
【００２９】
その後、ＰＯＳ装置は、更新された復号後の第１の情報をコード化する。そして、ＰＯＳ装置は、新規取引の情報（例：取引日時、取引店舗、取引商品、点数、価格、合計金額、預かり金額、釣銭等。）、更新された復号後の第１の情報（コード化前の情報）、及び、当該第１の情報を示すコードを印刷したレシートを発行する。
【００３０】
サービス利用者は、サービスに加盟する店舗で買い物をすると、その都度、最新のレシートを店舗に提示し、コードを読み取ってもらう。そして、その店舗での取引に基づき更新された第１の情報（コード及びコード化前の情報を含む）が印刷された新たなレシートを受け取る。
【００３１】
このような本実施形態によれば、レシートを参照することで、複数の店舗各々での支払金額の合計や、所定値までの残金額を容易に把握できるようになる。また、本実施形態の場合、取引の情報を示すレシートに第１の情報を印刷するので、第１の情報を印刷する専用の媒体を新たに用意する必要がない。このため、費用負担を軽減できる。また、顧客が管理する物の点数が増える不都合を回避できる。
【００３２】
次に、本実施形態のＰＯＳ装置のハードウエア構成について説明する。図２に、本実施形態のＰＯＳ装置のハードウエア構成の一例を示す。ＰＯＳ装置は、計算機２００、タッチパネル２１４、ドロア２１６、釣り銭機２１８、プリンタ２２０、及び、リーダ２２２を有する。なお、その他の構成要素を備えてもよい。
【００３３】
計算機２００は、バス２０２、プロセッサ２０４、メモリ２０６、ストレージ２０８、入出力インタフェース２１０、及び、ネットワークインタフェース２１２を有する。バス２０２は、プロセッサ２０４、メモリ２０６、ストレージ２０８、入出力インタフェース２１０、及び、ネットワークインタフェース２１２が、相互にデータを送受信するためのデータ伝送路である。ただし、プロセッサ２０４などを互いに接続する方法は、バス接続に限定されない。
【００３４】
プロセッサ２０４は、ＣＰＵ（Central Processing Unit）やＧＰＵ（Graphics Processing Unit）などの演算処理装置である。メモリ２０６は、ＲＡＭ（Random Access Memory）やＲＯＭ（Read Only Memory）などのメモリである。ストレージ２０８は、ハードディスク、ＳＳＤ（Solid State Drive）、又は、メモリカードなどの記憶装置である。また、ストレージ２０８は、ＲＡＭやＲＯＭなどのメモリであってもよい。
【００３５】
入出力インタフェース２１０は、計算機２００と入出力デバイスとを接続するためのインタフェースである。図２では、タッチパネル２１４及びリーダ２２２が入出力インタフェース２１０に接続されている。なお計算機２００には、キーボードなど、その他の入力インタフェースが接続されていてもよい。
【００３６】
タッチパネル２１４は、オペレータが計算機２００を操作するための入力を受け付ける。例えばタッチパネル２１４は、商品の金額を手動で入力したり、バーコードを付されていない商品（取引対象）を登録したりするために利用される。さらにタッチパネル２１４は、取引対象として登録された商品に関する情報など、種々の情報を表示する。
【００３７】
リーダ２２２は、種々のコードの入力を受付ける。例えばリーダ２２２は、商品に付されたバーコードや、レシートに付されたコード（例：ＱＲコード（登録商標）等の２次元コード）等を読みとる。
【００３８】
ネットワークインタフェース２１２は、計算機２００を外部の装置と通信可能に接続するためのインタフェースである。ネットワークインタフェース２１２は、有線回線と接続するためのネットワークインタフェースでもよいし、無線回線と接続するためのネットワークインタフェースでもよい。
【００３９】
ストレージ２０８はＰＯＳ装置の各機能を実現するプログラムモジュールを記憶している。プロセッサ２０４は、これら各プログラムモジュールを実行することで、そのプログラムモジュールに対応する各機能を実現する。ここでプロセッサ２０４は、上記各モジュールを実行する際、これらのモジュールをメモリ２０６上に読み出してから実行してもよいし、メモリ２０６上に読み出さずに実行してもよい。
【００４０】
ドロア２１６は硬貨や紙幣等を格納する。釣り銭機２１８は、顧客が代金を投入するための投入口と、釣り銭を排出するための排出口を有する。プリンタ２２０はレシート等の発行を行う。
【００４１】
なお、計算機２００のハードウエア構成は図２に示した構成に限定されない。例えば、各プログラムモジュールはメモリ２０６に格納されてもよい。この場合、計算機２００は、ストレージ２０８を備えていなくてもよい。
【００４２】
次に、図３に、本実施形態のＰＯＳ装置１０の機能ブロック図の一例を示す。図示するように、ＰＯＳ装置１０は、第１の情報取得部１１と、第２の情報取得部１２と、更新部１３と、記録部１４とを有する。
【００４３】
なお、図３の機能ブロック図は、ハードウエア単位の構成ではなく、機能単位のブロックを示している。各機能構成部は、ハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。また、図３においては、ＰＯＳ装置１０は１つの機器により実現されるよう記載されているが、その実現手段はこれに限定されない。すなわち、物理的に分かれた構成であっても、論理的に分かれた構成であっても構わない。以下、同一の構成要素には同一の符号を付し、適宜説明を省略する。これらの前提は、以下のすべての実施形態において同様である。
【００４４】
第１の情報取得部１１は、過去の取引の支払金額を積算した積算金額、及び、所定のサービスを受けるための下限値である目標金額から上記積算金額を引いた残金額の少なくとも一方を含む第１の情報を印刷された発行済みのレシートから、第１の情報を取得する。
【００４５】
図４に発行済みのレシート１００の一例を模式的に示す。レシート１００には、取引の情報１１０及び第１の情報１２０が印刷されている。取引の情報１１０は、取引内容、すなわち、取引店、取引日時、取引対象（物、サービス等）の名称、点数、金額、合計金額、預かり金額、及び、釣銭金額等を含む。
【００４６】
第１の情報１２０は、上述の通り、過去の取引の支払金額を積算した積算金額、及び、所定のサービスを受けるための下限値である目標金額から上記積算金額を引いた残金額の少なくとも一方を含む。図示する例の場合、「モール内合計」に対応する金額が、過去の取引の支払金額を積算した積算金額を示す。そして、「あと」に対応する金額が、所定のサービスを受けるための下限値である目標金額から上記積算金額を引いた残金額に対応する。
【００４７】
レシート１００に印刷される第１の情報１２０は、コード１２２、及び、コード化前の情報１２１を含む。
【００４８】
第１の情報取得部１１は、コード１２２を読み取るリーダを有する。そして、第１の情報取得部１１は、リーダを介してコード１２２の入力を受付ける。本実施形態の第１の情報取得部１１は、入力を受付けたコード１２２を復号する処理をさらに実行してもよい。
【００４９】
図３に戻り、第２の情報取得部１２は、新規取引の支払金額を取得する。例えば、オペレータがＰＯＳ装置１０のリーダを操作し、商品に付されているバーコードを読み取らせたり、また、ＰＯＳ装置１０に備えられた操作ボタンやタッチパネル等を操作したりすることで、取引対象（物、サービス等）の登録、及び、精算処理等が実行される。結果、新規取引の支払金額が算出される。第２の情報取得部１２は、このようにして算出された新規取引の支払金額を取得する。
【００５０】
更新部１３は、第２の情報取得部１２が取得した新規取引の支払金額に基づき、第１の情報取得部１１が取得した第１の情報を更新する。具体的には、更新部１３は、「過去の取引の支払金額を積算した積算金額に新規取引の支払金額を加える」、または、「所定のサービスを受けるための下限値である目標金額から積算金額を引いた残金額から新規取引の支払金額を差し引く」等により、第１の情報を更新する。本実施形態の更新部１３は、更新後の第１の情報をコード化してもよい。
【００５１】
記録部１４は、新規取引の情報が印刷される新規発行レシートに、更新後の第１の情報を印刷する。すなわち、記録部１４は、新規取引の情報、及び、更新後の第１の情報が印刷されたレシートを発行する。印刷される更新後の第１の情報は、コード及びコード化前の情報を含む。
【００５２】
次に、図５のフローチャートを用いて、本実施形態のＰＯＳ装置１０の処理の流れの一例を説明する。
【００５３】
まず、第１の情報取得部１１及び第２の情報取得部１２が、第１の情報及び新規取引の支払金額を取得する（Ｓ１０）。
【００５４】
すると、更新部１３が、新規取引の支払金額に基づき、第１の情報を更新する（Ｓ１１）。
【００５５】
その後、記録部１４が、新規取引の情報が印刷される新規発行レシートに、更新後の第１の情報を印刷する（Ｓ１２）。
【００５６】
例えば、Ｓ１０で、第１の情報取得部１１は、図４に示すレシート１００のコード１２２を読み取ることで、第１の情報を取得する。そして、Ｓ１２で、記録部１４は、図６に示すようなレシート１００を発行する。図４のレシート１００の第１の情報１２０、新たに発行された図６のレシート１００の取引の情報１１０及び第１の情報１２０を参照すると、図６のレシート１００の取引の情報１１０に示される取引に基づき、第１の情報１２０が更新されていることが分かる。
【００５７】
以上、説明した本実施形態によれば、複数の店舗各々での支払金額の合計や、所定値までの残金額の最新の状態が、店舗で買い物をする都度、その店舗で発行されるレシートに印刷される。このようなレシートを確認することで、複数の店舗各々での支払金額の合計や、所定値までの残金額を容易に把握できるようになる。
【００５８】
また、本実施形態の場合、取引の情報を示すレシートに第１の情報を印刷するので、第１の情報を印刷する媒体を新たに用意する必要がない。このため、費用負担を軽減できる。また、顧客が管理する物の点数が増える不都合を回避できる。
【００５９】
＜第２の実施形態＞
本実施形態では、情報処理装置が、第１の実施形態のＰＯＳ装置１０と同様な処理を実行する。本実施形態の情報処理装置は、ＰＯＳ装置に後付けされる付属装置である。
【００６０】
本実施形態の付属装置は、例えば小売店等の店舗で利用される。当該付属装置は、１つ又は複数の所定の店舗での支払金額の合計が所定値を超えると、所定のサービス（例：割引サービス、無料サービス等）を受けられるサービスに加盟する店舗での利用に適する。
【００６１】
図７に、本実施形態の情報処理装置（付属装置）の入出力及び演算処理の概要の一例を示す。図示するように、本実施形態の情報処理装置（付属装置）は、ＰＯＳ装置と接続して情報を送受信し、協働して所定の処理を実行する。付属装置とＰＯＳ装置との接続方法は制限されない。これらは有線で接続されてもよいし、無線で接続されてもよい。付属装置とＰＯＳ装置は、例えば１対１で接続される。
【００６２】
ＰＯＳ装置には、新規取引情報が入力される。新規取引情報は、第１の実施形態で説明したので、ここでの説明は省略する。ＰＯＳ装置は、入力された新規取引情報に基づき、精算処理等を実行する。結果、新規取引の支払金額が算出される。
【００６３】
付属装置には、コード及び新規取引の支払金額が入力される。新規取引の支払金額は、ＰＯＳ装置から付属装置に入力される。コードは、第１の実施形態で説明したので、ここでの説明は省略する。例えば、付属装置はコードを読み取るリーダを有する。そして、オペレータが付属装置を操作し、レシートに印刷されているコードを読み取らせることで、コードの入力が実現される。
【００６４】
付属装置は、入力されたコードを復号する。そして、新規取引の支払金額に基づき、復号後の第１の情報を更新する。具体的には、「過去の取引の支払金額を積算した積算金額に新規取引の支払金額を加える」、または、「所定のサービスを受けるための下限値である目標金額から積算金額を引いた残金額から新規取引の支払金額を差し引く」等により、復号後の第１の情報を更新する。
【００６５】
その後、付属装置は、更新された復号後の第１の情報をコード化する。そして、付属装置は、更新後の第１の情報（コード及びコード化前の情報を含む）をＰＯＳ装置に送信する。
【００６６】
すると、ＰＯＳ装置は、新規取引の情報（取引明細。例：取引日時、取引店舗、取引商品、点数、価格、合計金額、預かり金額、釣銭等。）、及び、更新後の第１の情報（コード及びコード化前の情報を含む）を印刷したレシートを発行する。
【００６７】
このような本実施形態によれば、第１の実施形態と同様な作用効果を実現できる。
【００６８】
次に、本実施形態の情報処理装置（付属装置）のハードウエア構成について説明する。図８に、本実施形態の情報処理装置のハードウエア構成の一例を示す。情報処理装置は、図示するように、情報処理装置は、プロセッサ１Ａ、メモリ２Ａ、入出力インタフェース３Ａ、周辺回路４Ａ、バス５Ａを有する。周辺回路には、様々なモジュールが含まれる。
【００６９】
バス５Ａは、プロセッサ１Ａ、メモリ２Ａ、周辺回路４Ａ及び入出力インタフェース３Ａが相互にデータを送受信するためのデータ伝送路である。プロセッサ１Ａは、例えばＣＰＵやＧＰＵなどの演算処理装置である。メモリ２Ａは、例えばＲＡＭやＲＯＭなどのメモリである。入出力インタフェース３Ａは、センサや遠隔操作端末等の装置と情報の送受信を行うためのインタフェースなどを含む。プロセッサ１Ａは、各モジュールに指令を出し、それらの演算結果をもとに演算を行う。
【００７０】
図２０に、本実施形態の情報処理装置（付属装置）２０の機能ブロック図の一例を示す。図示するように、情報処理装置２０は、第１の情報取得部２１と、第２の情報取得部２２と、更新部２３と、送信部２４とを有する。
【００７１】
第１の情報取得部２１の構成は、第１の実施形態で説明した第１の情報取得部２１の構成と同様である。本実施形態の第１の情報取得部２１は、発行済みのレシートから直接、第１の情報を取得する。すなわち、第１の情報取得部２１はリーダを有し、行済みのレシートに印刷されたコードを読み取ることで、第１の情報を取得する。
【００７２】
第２の情報取得部２２は、新規取引の支払金額をＰＯＳ装置から取得する点で、第１の実施形態で説明した第２の情報取得部１２と異なる。その他の構成は、第２の情報取得部１２と同様である。
【００７３】
更新部２３の構成は、第１の実施形態で説明した更新部１３の構成と同様である。
【００７４】
送信部１４は、更新後の第１の情報（コード及びコード化前の情報を含む）をＰＯＳ装置に送信する。
【００７５】
次に、図２２のフローチャートを用いて、本実施形態の情報処理装置２０の処理の流れの一例を説明する。
【００７６】
Ｓ２０では、第１の情報取得部２１が、発行済みのレシートから直接、第１の情報を取得する。また、第２の情報取得部２２が、ＰＯＳ装置から新規取引の支払金額を取得する。
【００７７】
Ｓ２１では、更新部２３が、新規取引の支払金額に基づき、第１の情報を更新する。
【００７８】
Ｓ２２では、送信部２４が、更新後の第１の情報をＰＯＳ装置に送信する。すると、ＰＯＳ装置は、情報処理装置２０から受信した更新後の第１の情報を新規取引の情報が印刷される新規発行レシートに印刷する。
【００７９】
以上説明した本実施形態によれば、第１の実施形態と同様な作用効果を実現できる。また、既存のＰＯＳ装置に付属装置（情報処理装置２０）を接続し、これらを協働させることで、上記作用効果が実現される。このため、上記作用効果を実現する第１の実施形態で説明したような機能を有するＰＯＳ装置１０を新たに導入する場合に比べて、設備投資の負担を軽減できる。
【００８０】
＜第３の実施形態＞
本実施形態の情報処理装置２０は、第２の実施形態と同様付属装置である。本実施形態の付属装置が実行する処理の詳細は、第２の実施形態の付属装置と一部が異なる。
【００８１】
本実施形態の付属装置は、例えば小売店等の店舗で利用される。当該付属装置は、１つ又は複数の所定の店舗での支払金額の合計が所定値を超えると、所定のサービス（例：割引サービス、無料サービス等）を受けられるサービスに加盟する店舗での利用に適する。
【００８２】
図９に、本実施形態の付属装置の入出力及び演算処理の概要の一例を示す。図示するように、本実施形態の付属装置は、ＰＯＳ装置と接続して情報を送受信し、協働して所定の処理を実行する。付属装置とＰＯＳ装置との接続方法は制限されない。これらは有線で接続されてもよいし、無線で接続されてもよい。付属装置とＰＯＳ装置は、例えば１対１で接続される。
【００８３】
ＰＯＳ装置には、コード及び新規取引情報が入力される。コードは、第１の実施形態で説明したので、ここでの説明は省略する。例えば、オペレータがＰＯＳ装置を操作し、レシートに印刷されているコードを読み取らせることで、コードの入力が実現される。コードが入力されると、ＰＯＳ装置はそれを復号する。
【００８４】
新規取引情報は、第１の実施形態で説明したので、ここでの説明は省略する。ＰＯＳ装置は、入力された新規取引情報に基づき、精算処理等を実行する。結果、新規取引の支払金額が算出される。
【００８５】
付属装置には、ＰＯＳ装置から、復号された第１の情報及び新規取引の支払金額が入力される。すると、付属装置は、新規取引の支払金額に基づき、第１の情報を更新する。その後、付属装置は、更新後の第１の情報をＰＯＳ装置に送信する。
【００８６】
すると、ＰＯＳ装置は、更新後の第１の情報をコード化する。そして、新規取引の情報、及び、更新後の第１の情報（コード及びコード化前の情報を含む）を印刷したレシートを発行する。
【００８７】
このような本実施形態によれば、第１及び第２の実施形態と同様な作用効果を実現できる。
【００８８】
本実施形態の情報処理装置（付属装置）のハードウエア構成は、第２の実施形態と同様、図８で示される。詳細は第２の実施形態で説明したので、ここでの説明は省略する。
【００８９】
本実施形態の情報処理装置（付属装置）１０の機能ブロック図の一例は、第２の実施形態と同様、図２０で示される。図示するように、情報処理装置２０は、第１の情報取得部２１と、第２の情報取得部２２と、更新部２３と、送信部２４とを有する。
【００９０】
更新部２３の構成は、第２の実施形態の更新部２３と同様である。また、第２の情報取得部２２の構成は、第２の実施形態の第２の情報取得部２２と同様である。
【００９１】
第１の情報取得部２１は、第１の情報をＰＯＳ装置から取得する点で、第２の実施形態の第１の情報取得部２１と異なる。本実施形態のＰＯＳ装置は、発行済みのレシートから取得した第１の情報（復号後の情報）を第１の情報取得部２１に送信する。第１の情報取得部２１のその他の構成は、第２の実施形態の第１の情報取得部１１と同様である。
【００９２】
送信部２４は、更新後の第１の情報（コード化前の情報）をＰＯＳ装置に送信する。ＰＯＳ装置の記録部は、受信した更新後の第１の情報をコード化し、コード及びコード化前の情報を含む更新後の第１の情報をレシートに印刷する。
【００９３】
以上説明した本実施形態によれば、第１及び第２の実施形態と同様な作用効果を実現できる。
【００９４】
＜第４の実施形態＞
本実施形態の情報処理装置２０は、第２及び第３の実施形態と同様付属装置である。本実施形態の付属装置が実行する処理の詳細は、第２及び第３の実施形態の付属装置と一部が異なる。
【００９５】
本実施形態の付属装置は、例えば小売店等の店舗で利用される。当該付属装置は、１つ又は複数の所定の店舗での支払金額の合計が所定値を超えると、所定のサービス（例：割引サービス、無料サービス等）を受けられるサービスに加盟する店舗での利用に適する。
【００９６】
図１０に、本実施形態の付属装置の入出力及び演算処理の概要の一例を示す。図示するように、本実施形態の情報処理装置付属装置は、ＰＯＳ装置と接続して情報を送受信し、協働して所定の処理を実行する。付属装置とＰＯＳ装置との接続方法は制限されない。これらは有線で接続されてもよいし、無線で接続されてもよい。付属装置とＰＯＳ装置は、例えば１対１で接続される。
【００９７】
ＰＯＳ装置には、コード及び新規取引情報が入力される。コードは、第１の実施形態で説明したので、ここでの説明は省略する。例えば、オペレータがＰＯＳ装置を操作し、レシートに印刷されているコードを読み取らせることで、コードの入力が実現される。
【００９８】
新規取引情報は、第１の実施形態で説明したので、ここでの説明は省略する。ＰＯＳ装置は、入力された新規取引情報に基づき、精算処理等を実行する。結果、新規取引の支払金額が算出される。
【００９９】
付属装置には、ＰＯＳ装置から、第１の情報のコード及び新規取引の支払金額が入力される。すると、付属装置は、第１の情報のコードを復号する。そして、付属装置は、新規取引の支払金額に基づき、復号後の第１の情報を更新する。その後、付属装置は、更新された復号後の第１の情報をコード化する。そして、付属装置は、更新後の第１の情報（コード及びコード化前の情報を含む）を、ＰＯＳ装置に送信する。
【０１００】
すると、ＰＯＳ装置は、新規取引の情報、及び、更新後の第１の情報（コード及びコード化前の情報を含む）を印刷したレシートを発行する。
【０１０１】
このような本実施形態によれば、第１乃至第３の実施形態と同様な作用効果を実現できる。
【０１０２】
本実施形態の情報処理装置（付属装置）のハードウエア構成は、第２及び第３の実施形態と同様、図８で示される。詳細は第２の実施形態で説明したので、ここでの説明は省略する。
【０１０３】
本実施形態の情報処理装置（付属装置）１０の機能ブロック図の一例は、第２及び第３の実施形態と同様、図２０で示される。図示するように、情報処理装置２０は、第１の情報取得部２１と、第２の情報取得部２２と、更新部２３と、送信部２４とを有する。
【０１０４】
更新部２３の構成は、第２及び第３の実施形態の更新部２３と同様である。また、第２の情報取得部２２の構成は、第２及び第３の実施形態の第２の情報取得部２２と同様である。
【０１０５】
第１の情報取得部２１の構成は、第３の実施形態の第１の情報取得部と同様である。
【０１０６】
送信部２４は、更新後の第１の情報（コード及びコード化前の情報）をＰＯＳ装置に送信する。例えば、送信部２４がコード化を行ってもよい。ＰＯＳ装置の記録部は、受信した更新後の第１の情報（コード及びコード化前の情報を含む）をレシートに印刷する。
【０１０７】
以上説明した本実施形態によれば、第１乃至第３の実施形態と同様な作用効果を実現できる。
【０１０８】
＜第５の実施形態＞
本実施形態のＰＯＳ装置１０及び情報処理装置２０は、第１の情報及び新規取引の支払金額を取得すると、当該新規取引の支払金額に基づき第１の情報を更新するか否か判断し、更新すると判断した場合に更新する点で、第１乃至第４の実施形態と異なる。その他の構成は、第１乃至第４の実施形態と同様である。
【０１０９】
本実施形態のＰＯＳ装置１０のハードウエア構成は、第１の実施形態と同様、図２で示される。また、本実施形態の情報処理装置２０のハードウエア構成は、第２乃至第４の実施形態と同様、図８で示される。
【０１１０】
図１１に、本実施形態のＰＯＳ装置１０の機能ブロック図の一例を示す。図示するように、ＰＯＳ装置１０は、第１の情報取得部１１と、第２の情報取得部１２と、更新部１３と、記録部１４と、判断部１５とを有する。第１の情報取得部１１及び第２の情報取得部１２の構成は、第１の実施形態と同様である。
【０１１１】
図２１に、本実施形態の情報処理装置２０の機能ブロック図の一例を示す。図示するように、情報処理装置２０は、第１の情報取得部２１と、第２の情報取得部２２と、更新部２３と、送信部２４と、判断部２５とを有する。第１の情報取得部２１及び第２の情報取得部２２の構成は、第２乃至第４の実施形態と同様である。
【０１１２】
判断部１５及び２５は、新規取引の支払金額に基づき第１の情報を更新するか判断する。そして、更新部１３及び２３は、判断部１５及び２５が更新すると判断すると、新規取引の支払金額に基づき第１の情報を更新する。一方、判断部１５及び２５が更新しないと判断すると、更新部１３及び２３は、新規取引の支払金額に基づき第１の情報を更新しない。
【０１１３】
第１の情報が更新された場合、図１１の記録部１４は、更新後の第１の情報をレシートに印刷する。また、図２１の送信部２４は、更新後の第１の情報をＰＯＳ装置に送信する。
【０１１４】
一方、第１の情報が更新されなかった場合、図１１の記録部１４は、更新前の第１の情報をレシートに印刷してもよい。その他、第１の情報が更新されなかった場合、図１１の記録部１４は、新規取引の内容のみに基づく第１の情報をレシートに印刷してもよい。また、図２１の送信部２４は、更新前の第１の情報をＰＯＳ装置に送信してもよい。
【０１１５】
以下、本実施形態の具体例を説明する。本実施形態のＰＯＳ装置１０及び情報処理装置２０は、これの中の少なくとも１つを実行してもよい。
【０１１６】
「具体例１」
当該例においては、第１の情報に、有効期限を示す情報がさらに含まれる。そして、判断部１５及び２５は、第１の情報取得部１１及び２１から第１の情報を取得すると、有効期限を過ぎていないか判断する。有効期限を過ぎている場合、判断部１５及び２５は更新しないと判断する。一方、有効期限を過ぎていない場合、判断部１５及び２５は更新すると判断する。
【０１１７】
具体例１において、判断部１５及び２５が更新しないと判断した場合、図１１の記録部１４は、第１の情報取得部１１が取得した有効期限切れの第１の情報を破棄し、新規取引の内容のみに基づく新たな第１の情報（コード及びコード化前の情報を含む）をレシートに印刷してもよい。また、図２１の送信部２４は、新規取引の内容のみに基づく新たな第１の情報をＰＯＳ装置に送信してもよい。
【０１１８】
「具体例２」
１つ又は複数の所定の店舗での支払金額の合計が所定値を超えると、所定のサービスを受けられるサービスが、複数並行して実施される場合が考えられる。そして、必ずしもすべての店舗がすべてのサービスに加盟しておらず、加盟状況が店舗毎にばらつく場合が考えられる。
【０１１９】
例えば、あるモールにて支払金額の合計が５０００円を超えると駐車場料金が無料になるサービス（駐車サービス）、及び、そのモールにて支払金額の合計が３０００円を超えるとかき氷を一杯プレゼントするサービス（かき氷サービス）が、同時に行われる例などが考えられる。
【０１２０】
そして、店舗Ａは駐車サービス及びかき氷サービスに加盟しているが、店舗Ｂは駐車サービスに加盟し、かき氷サービスには加盟していない例等が考えられる。この例の場合、店舗Ａでの買い物は駐車サービス及びかき氷サービスに寄与するが、店舗Ｂでの買い物は駐車サービスに寄与し、かき氷サービスに寄与しない。
【０１２１】
具体例２は、このような前提に基づく。
【０１２２】
判断部１５及び２５は、各店舗が加盟しているサービスのリストを保持している。図１２に、当該リストの一例を模式的に示す。例えば、各店舗のオペレータが、自店舗のＰＯＳ装置又は情報処理装置２０を操作し、自店舗が加盟しているサービスを登録する。当該操作により、図１２に示すようなリストが判断部１５及び２５に登録される。
【０１２３】
当該具体例においては、サービス毎に、第１の情報が作成される。そして、図１３に示すように、複数の第１の情報がレシートに印刷される。第１の情報には、対応するサービスを識別するサービス識別情報がさらに含まれる。
【０１２４】
第１の情報取得部１１及び２１は、複数の第１の情報を取得することができる。そして、判断部１５及び２５は、第１の情報取得部１１及び２１から第１の情報を取得すると、各第１の情報に含まれるサービス識別情報を取得する。そして、判断部１５及び２５は、加盟サービスのリストを参照し、各第１の情報から取得したサービス識別情報がリストに含まれているか確認する。含まれている場合、すなわち、新規取引を行った店舗がそのサービスに加盟している場合、判断部１５及び２５は、更新すると判断する。一方、含まれていない場合、すなわち、新規取引を行った店舗がそのサービスに加盟していない場合、判断部１５及び２５は、更新しないと判断する。
【０１２５】
判断部１５及び２５は、第１の情報取得部１１及び２１が複数の第１の情報を取得した場合、第１の情報毎に、更新するか否かを判断する。
【０１２６】
具体例２において、判断部１５及び２５が更新しないと判断した場合、図１１の記録部１４は、更新前の第１の情報（コード及びコード化前の情報を含む）をレシートに印刷してもよい。また、図２１の送信部２４は、更新前の第１の情報をＰＯＳ装置に送信してもよい。
【０１２７】
「具体例３」
１つ又は複数の所定の店舗での支払金額の合計が所定値を超えると、所定のサービスを受けられるサービスが、複数並行して実施される場合が考えられる。そして、１つ又は複数の店舗でグループを作成し、グループ毎にサービスを提供する場合が考えらえる。
【０１２８】
例えば、店舗Ａ、店舗Ｂ及び店舗Ｃを含む第１のグループが、当該グループでの支払金額の合計が５０００円を超えると駐車場代金を無料にするサービス（駐車サービス）を提供し、店舗Ａ及び店舗Ｄを含む第２のグループが、当該グループでの支払金額の合計が３０００円を超えるとかき氷を一杯プレゼントするサービス（かき氷サービス）を提供する例などが考えられる。
【０１２９】
このような場合、店舗Ａでの買い物は駐車サービス及びかき氷サービスに寄与するが、店舗Ｂでの買い物は駐車サービスに寄与し、かき氷サービスに寄与しない。
【０１３０】
具体例３は、このような前提に基づく。
【０１３１】
判断部１５及び２５は、各店舗が属するグループのリストを保持している。図１４に、当該リストの一例を模式的に示す。例えば、各店舗のオペレータが、自店舗のＰＯＳ装置１０又は情報処理装置２０を操作し、自店舗が属するグループを登録する。当該操作により、図１４に示すようなリストが判断部１５及び２５に登録される。
【０１３２】
当該具体例においては、グループ毎に、第１の情報が作成される。そして、図１５に示すように、複数の第１の情報がレシートに印刷される。第１の情報には、対応するグループを識別するグループ識別情報がさらに含まれる。
【０１３３】
第１の情報取得部１１及び２１は、複数の第１の情報を取得することができる。そして、判断部１５及び２５は、第１の情報取得部１１及び２１から第１の情報を取得すると、各第１の情報に含まれるグループ識別情報を取得する。そして、判断部１５及び２５は、属するグループのリストを参照し、各第１の情報から取得したグループ識別情報がリストに含まれているか確認する。含まれている場合、すなわち、新規取引を行った店舗がそのグループに属する場合、判断部１５及び２５は、更新すると判断する。一方、含まれていない場合、すなわち、新規取引を行った店舗がそのグループに属さない場合、判断部１５及び２５は、更新しないと判断する。
【０１３４】
判断部１５及び２５は、第１の情報取得部１１及び２１が複数の第１の情報を取得した場合、第１の情報毎に、更新するか否かを判断する。
【０１３５】
具体例３において、判断部１５及び２５が更新しないと判断した場合、図１１の記録部１４は、更新前の第１の情報（コード及びコード化前の情報を含む）をレシートに印刷してもよい。また、図２１の送信部２４は、更新前の第１の情報をＰＯＳ装置に送信してもよい。
【０１３６】
以上説明した本実施形態によれば、第１乃至第４の実施形態と同様な作用効果を実現できる。また、本実施形態によれば、すべての第１の情報を新規取引の支払金額に基づき更新するのでなく、所定の条件を満たす第１の情報のみを更新することができる。
【０１３７】
このため、例えば、上述したように複数のサービスが並行して実施されており、かつ、店舗毎に加盟状況が異なる場合であっても、適切に、第１の情報を管理することができる。また、有効期限切れの第１の情報を更新するという不都合を回避できる。
【０１３８】
＜第６の実施形態＞
本実施形態は、第２乃至第５の実施形態で説明した情報処理装置２０が、付属装置でなく、ＰＯＳ装置と通信可能に構成されたサーバである点で、第２乃至第５の実施形態と異なる。サーバは、例えば、各店舗のオフィス等に設置されてもよいし、又は、複数の店舗を管理するセンターに設置されてもよい
【０１３９】
図１６に、本実施形態の情報処理装置（サーバ）の入出力及び演算処理の概要の一例を示す。図示するように、本実施形態の情報処理装置（サーバ）は、ＰＯＳ装置と接続して情報を送受信し、協働して所定の処理を実行する。サーバとＰＯＳ装置との接続方法は制限されない。例えば、ＬＡＮ（Local Area Network）、ＷＡＮ（Wide Area Network）、インターネット、専用回線等のネットワークを介して互いに接続することができる。１つのサーバに、複数のＰＯＳ装置が接続されてもよい。
【０１４０】
ＰＯＳ装置には、コード及び新規取引情報が入力される。コードは、第１の実施形態で説明したので、ここでの説明は省略する。例えば、オペレータがＰＯＳ装置を操作し、レシートに印刷されているコードを読み取らせることで、コードの入力が実現される。コードが入力されると、ＰＯＳ装置はそれを復号する。
【０１４１】
新規取引情報は、第１の実施形態で説明したので、ここでの説明は省略する。ＰＯＳ装置は、入力された新規取引情報に基づき、精算処理等を実行する。結果、新規取引の支払金額が算出される。
【０１４２】
サーバは、ＰＯＳ装置から、復号後の第１の情報及び新規取引の支払金額を受信する。すると、サーバは、新規取引の支払金額に基づき、復号後の第１の情報を更新する。その後、サーバは、更新された復号後の第１の情報をＰＯＳ装置に送信する。
【０１４３】
すると、ＰＯＳ装置は、更新された復号後の第１の情報をコード化する。そして、新規取引の情報、及び、更新後の第１の情報（コード及びコード化前の情報を含む）を印刷したレシートを発行する。
【０１４４】
このような本実施形態によれば、第１の実施形態と同様な作用効果を実現できる。
【０１４５】
本実施形態の情報処理装置（サーバ）のハードウエア構成は、第２乃至第５の実施形態と同様、図８で示される。詳細は第２の実施形態で説明したので、ここでの説明は省略する。
【０１４６】
本実施形態の情報処理装置（サーバ）２０の機能ブロック図の一例は、図２０で示される。各構成部の構成は、第３の実施形態と同様である。
【０１４７】
以上説明した本実施形態によれば、第５の実施形態と同様な作用効果を実現できる。また、既存のＰＯＳ装置とサーバ（情報処理装置１０）を接続し、これらを協働させることで、上記作用効果が実現される。このため、上記作用効果を実現するＰＯＳ装置（第１の実施形態のＰＯＳ装置）を新たに導入する場合に比べて、設備投資の負担を軽減できる。
【０１４８】
＜第７の実施形態＞
本実施形態の情報処理装置２０は、第６の実施形態と同様サーバである。本実施形態のサーバが実行する処理の詳細は、第６の実施形態のサーバと一部が異なる。
【０１４９】
サーバは、例えば、各店舗のオフィス等に設置されてもよいし、又は、複数の店舗を管理するセンターに設置されてもよい。
【０１５０】
図１７に示すように、本実施形態の情報処理装置（サーバ）は、ＰＯＳ装置と接続して情報を送受信し、協働して所定の処理を実行する。サーバとＰＯＳ装置との接続方法は制限されない。例えば、ＬＡＮ、ＷＡＮ、インターネット、専用回線等のネットワークを介して互いに接続することができる。１つのサーバに、複数のＰＯＳ装置が接続されてもよい。
【０１５１】
ＰＯＳ装置には、コード及び新規取引情報が入力される。コードは、第１の実施形態で説明したので、ここでの説明は省略する。例えば、オペレータがＰＯＳ装置を操作し、レシートに印刷されているコードを読み取らせることで、コードの入力が実現される。
【０１５２】
新規取引情報は、第１の実施形態で説明したので、ここでの説明は省略する。ＰＯＳ装置は、入力された新規取引情報に基づき、精算処理等を実行する。結果、新規取引の支払金額が算出される。
【０１５３】
サーバは、ＰＯＳ装置から、第１の情報のコード及び新規取引の支払金額を受信する。すると、サーバは、第１の情報のコードを復号する。そして、サーバは、新規取引の支払金額に基づき、復号後の第１の情報を更新する。その後、サーバは、更新された復号後の第１の情報をコード化する。そして、サーバは、更新後の第１の情報（コード及びコード化前の情報を含む）を、ＰＯＳ装置に送信する。
【０１５４】
すると、ＰＯＳ装置は、新規取引の情報、及び、更新後の第１の情報（コード及びコード化前の情報を含む）を印刷したレシートを発行する。
【０１５５】
このような本実施形態によれば、第１の実施形態と同様な作用効果を実現できる。
【０１５６】
本実施形態の情報処理装置（サーバ）のハードウエア構成は、第２乃至第６の実施形態と同様、図８で示される。詳細は第２の実施形態で説明したので、ここでの説明は省略する。
【０１５７】
本実施形態の情報処理装置（サーバ）２０の機能ブロック図の一例は、図２０で示される。各構成部の構成は、第４の実施形態と同様である。
【０１５８】
以上説明した本実施形態によれば、第１の実施形態と同様な作用効果を実現できる。また、既存のＰＯＳ装置とサーバ（情報処理装置１０）を接続し、これらを協働させることで、上記作用効果が実現される。このため、上記作用効果を実現するＰＯＳ装置（第１の実施形態のＰＯＳ装置）を新たに導入する場合に比べて、設備投資の負担を軽減できる。
【０１５９】
＜第８の実施形態＞
本実施形態は、第５の実施形態の情報処理装置１０をサーバで実現する点で、第５の実施形態と異なる。
【０１６０】
本実施形態の情報処理装置（サーバ）のハードウエア構成は、第２乃至第７の実施形態と同様、図８で示される。詳細は第２の実施形態で説明したので、ここでの説明は省略する。
【０１６１】
本実施形態の情報処理装置（サーバ）２０の機能ブロック図の一例は、図２１で示される。各構成部の構成は、第５の実施形態と同様である。
【０１６２】
本実施形態の情報処理装置２０は、第５の実施形態で説明した具体例１乃至３の中の少なくとも１つを実行してもよい。
【０１６３】
具体例２においては、情報処理装置２０は、第１の情報及び新規取引の支払金額に加えて、ＰＯＳ装置が属する店舗の識別情報を受信する。そして、判断部２５は、図１８に示すような、複数の店舗各々に、各店舗が加盟するサービスのサービス識別情報を対応付けたリストに基づき、新規取引を行った店舗が所定のサービスの提供に加盟しているか否かを判断する。
【０１６４】
同様に、具体例３においては、情報処理装置２０は、第１の情報及び新規取引の支払金額に加えて、ＰＯＳ装置が属する店舗の識別情報を受信する。そして、判断部２５は、図１９に示すような、複数の店舗各々に、各店舗が属するグループのグループ識別情報を対応付けたリストに基づき、新規取引を行った店舗が属するグループを特定する。
【０１６５】
以上説明した本実施形態によれば、第５の実施形態と同様な作用効果を実現できる。
【０１６６】
＜第９の実施形態＞
第６乃至第８の実施形態では、ＰＯＳ装置に新規取引情報が入力されると、ＰＯＳ装置が精算処理を実施し、新規取引の支払金額を算出した。本実施形態では、ＰＯＳ装置は、新規取引情報をサーバに送信する。そして、サーバが新規取引情報に基づき、精算処理を実施し、新規取引の支払金額を算出する。
【０１６７】
本実施形態によれば、第６乃至第８と同様な作用効果を実現できる。
【０１６８】
以下、参考形態の例を付記する。
１．  過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を取得する第２の情報取得手段と、
前記新規取引の前記支払金額に基づき、前記第１の情報を更新する更新手段と、
前記新規取引の情報が印刷される新規発行レシートに、更新後の前記第１の情報を印刷する記録手段と、
を有するＰＯＳ装置。
２．  １に記載のＰＯＳ装置において、
前記レシートには、コード化された前記第１の情報が印刷されるＰＯＳ装置。
３．  １又は２に記載のＰＯＳ装置において、
前記新規取引の支払金額に基づき前記第１の情報を更新するか判断する判断手段をさらに有し、
前記更新手段は、前記判断手段が更新すると判断すると、前記新規取引の前記支払金額に基づき前記第１の情報を更新するＰＯＳ装置。
４．  ３に記載のＰＯＳ装置において、
前記判断手段は、前記新規取引を行った店舗が前記サービスの提供に加盟しているか判断し、加盟している場合には更新すると判断し、加盟していない場合には更新しないと判断するＰＯＳ装置。
５．  ４に記載のＰＯＳ装置において、
前記レシートには、複数の前記サービス各々に対応する複数の前記第１の情報が印刷され、
前記第１の情報は、対応する前記サービスを識別するサービス識別情報をさらに含み、
前記判断手段は、前記新規取引を行った店舗が加盟している前記サービスのリストに基づき、複数の前記第１の情報各々を更新するか判断するＰＯＳ装置。
６．  ３に記載のＰＯＳ装置において、
前記レシートには、１つ又は複数の店舗が属する複数のグループ各々に対応する複数の前記第１の情報が印刷され、
前記第１の情報は、対応する前記グループを識別するグループ識別情報をさらに含み、
前記判断手段は、前記新規取引を行った店舗が属する前記グループのリストに基づき、複数の前記第１の情報各々を更新するか判断するＰＯＳ装置。
７．  ６に記載のＰＯＳ装置において、
前記判断手段は、前記新規取引を行った店舗が属する前記グループに対応する前記第１の情報を更新すると判断するＰＯＳ装置。
８．  ３から７のいずれかに記載のＰＯＳ装置において、
前記第１の情報は、有効期限を示す情報をさらに含み、
前記判断手段は、前記有効期限が切れていない場合、前記第１の情報を更新すると判断し、前記有効期限が切れている場合、前記第１の情報を更新しないと判断するＰＯＳ装置。
９．  過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、ＰＯＳ装置から受信する第２の情報取得手段と、
前記新規取引の前記支払金額に基づき、前記第１の情報を更新する更新手段と、
前記ＰＯＳ装置に更新後の前記第１の情報を送信する送信手段と、
を有する情報処理装置。
９−２．  ９に記載の情報処理装置において、
前記第１の情報取得手段は、発行済みのレシートから直接、又は、発行済みのレシートから前記第１の情報を取得した前記ＰＯＳ装置から、前記第１の情報を取得する情報処理装置。
９−３．  ９又は９−２に記載の情報処理装置において、
前記レシートには、コード化された前記第１の情報が印刷される情報処理装置。
９−４．  ９乃至９−３のいずれかに記載の情報処理装置において、
前記新規取引の支払金額に基づき前記第１の情報を更新するか判断する判断手段をさらに有し、
前記更新手段は、前記判断手段が更新すると判断すると、前記新規取引の前記支払金額に基づき前記第１の情報を更新する情報処理装置。
９−５．  ９−４に記載の情報処理装置において、
前記判断手段は、前記新規取引を行った店舗が前記サービスの提供に加盟しているか判断し、加盟している場合には更新すると判断し、加盟していない場合には更新しないと判断する情報処理装置。
９−６．  ９−５に記載の情報処理装置において、
前記レシートには、複数の前記サービス各々に対応する複数の前記第１の情報が印刷され、
前記第１の情報は、対応する前記サービスを識別するサービス識別情報をさらに含み、
前記判断手段は、前記新規取引を行った店舗が加盟している前記サービスのリストに基づき、複数の前記第１の情報各々を更新するか判断する情報処理装置。
９−７．  ９−４に記載の情報処理装置において、
前記レシートには、１つ又は複数の店舗が属する複数のグループ各々に対応する複数の前記第１の情報が印刷され、
前記第１の情報は、対応する前記グループを識別するグループ識別情報をさらに含み、
前記判断手段は、前記新規取引を行った店舗が属する前記グループのリストに基づき、複数の前記第１の情報各々を更新するか判断する情報処理装置。
９−８．  ９−７に記載の情報処理装置において、
前記判断手段は、前記新規取引を行った店舗が属する前記グループに対応する前記第１の情報を更新すると判断する情報処理装置。
９−９．  ９−４から９−８のいずれかに記載の情報処理装置において、
前記第１の情報は、有効期限を示す情報をさらに含み、
前記判断手段は、前記有効期限が切れていない場合、前記第１の情報を更新すると判断し、前記有効期限が切れている場合、前記第１の情報を更新しないと判断する情報処理装置。
１０．  過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を取得する第２の情報取得工程と、
前記新規取引の前記支払金額に基づき、前記第１の情報を更新する更新工程と、
前記新規取引の情報が印刷される新規発行レシートに、更新後の前記第１の情報を印刷する記録工程と、
を有するＰＯＳ装置の制御方法。
１０−２．  １０に記載のＰＯＳ装置の制御方法において、
前記レシートには、コード化された前記第１の情報が印刷されるＰＯＳ装置の制御方法。
１０−３．  １０又は１０−２に記載のＰＯＳ装置の制御方法において、
前記新規取引の支払金額に基づき前記第１の情報を更新するか判断する判断工程をさらに有し、
前記更新工程では、前記判断工程で更新すると判断すると、前記新規取引の前記支払金額に基づき前記第１の情報を更新するＰＯＳ装置の制御方法。
１０−４．  １０−３に記載のＰＯＳ装置の制御方法において、
前記判断工程では、前記新規取引を行った店舗が前記サービスの提供に加盟しているか判断し、加盟している場合には更新すると判断し、加盟していない場合には更新しないと判断するＰＯＳ装置の制御方法。
１０−５．  １０−４に記載のＰＯＳ装置の制御方法において、
前記レシートには、複数の前記サービス各々に対応する複数の前記第１の情報が印刷され、
前記第１の情報は、対応する前記サービスを識別するサービス識別情報をさらに含み、
前記判断工程では、前記新規取引を行った店舗が加盟している前記サービスのリストに基づき、複数の前記第１の情報各々を更新するか判断するＰＯＳ装置の制御方法。
１０−６．  １０−３に記載のＰＯＳ装置の制御方法において、
前記レシートには、１つ又は複数の店舗が属する複数のグループ各々に対応する複数の前記第１の情報が印刷され、
前記第１の情報は、対応する前記グループを識別するグループ識別情報をさらに含み、
前記判断工程では、前記新規取引を行った店舗が属する前記グループのリストに基づき、複数の前記第１の情報各々を更新するか判断するＰＯＳ装置の制御方法。
１０−７．  １０−６に記載のＰＯＳ装置の制御方法において、
前記判断工程では、前記新規取引を行った店舗が属する前記グループに対応する前記第１の情報を更新すると判断するＰＯＳ装置の制御方法。
１０−８．  １０−３から１０−７のいずれかに記載のＰＯＳ装置の制御方法において、
前記第１の情報は、有効期限を示す情報をさらに含み、
前記判断工程では、前記有効期限が切れていない場合、前記第１の情報を更新すると判断し、前記有効期限が切れている場合、前記第１の情報を更新しないと判断するＰＯＳ装置の制御方法。
１１．  過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得工程と、
新規取引の支払金額を、ＰＯＳ装置から受信する第２の情報取得工程と、
前記新規取引の前記支払金額に基づき、前記第１の情報を更新する更新工程と、
前記ＰＯＳ装置に更新後の前記第１の情報を送信する送信工程と、
を有する情報処理方法。
１２．  コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を取得する第２の情報取得手段、
前記新規取引の前記支払金額に基づき、前記第１の情報を更新する更新手段、
前記新規取引の情報が印刷される新規発行レシートに、更新後の前記第１の情報を印刷する記録手段、
として機能させるプログラム。
１２−２．  １２に記載のプログラムにおいて、
前記レシートには、コード化された前記第１の情報が印刷されるプログラム。
１２−３．  １２又は１２−２に記載のプログラムにおいて、
前記コンピュータを、前記新規取引の支払金額に基づき前記第１の情報を更新するか判断する判断手段としてさらに機能させ、
前記更新手段は、前記判断手段が更新すると判断すると、前記新規取引の前記支払金額に基づき前記第１の情報を更新するプログラム。
１２−４．  １２−３に記載のプログラムにおいて、
前記判断手段は、前記新規取引を行った店舗が前記サービスの提供に加盟しているか判断し、加盟している場合には更新すると判断し、加盟していない場合には更新しないと判断するプログラム。
１２−５．  １２−４に記載のプログラムにおいて、
前記レシートには、複数の前記サービス各々に対応する複数の前記第１の情報が印刷され、
前記第１の情報は、対応する前記サービスを識別するサービス識別情報をさらに含み、
前記判断手段は、前記新規取引を行った店舗が加盟している前記サービスのリストに基づき、複数の前記第１の情報各々を更新するか判断するプログラム。
１２−６．  １２−３に記載のプログラムにおいて、
前記レシートには、１つ又は複数の店舗が属する複数のグループ各々に対応する複数の前記第１の情報が印刷され、
前記第１の情報は、対応する前記グループを識別するグループ識別情報をさらに含み、
前記判断手段は、前記新規取引を行った店舗が属する前記グループのリストに基づき、複数の前記第１の情報各々を更新するか判断するプログラム。
１２−７．  １２−６に記載のプログラムにおいて、
前記判断手段は、前記新規取引を行った店舗が属する前記グループに対応する前記第１の情報を更新すると判断するプログラム。
１２−８．  １２−３から１２−７のいずれかに記載のプログラムにおいて、
前記第１の情報は、有効期限を示す情報をさらに含み、
前記判断手段は、前記有効期限が切れていない場合、前記第１の情報を更新すると判断し、前記有効期限が切れている場合、前記第１の情報を更新しないと判断するプログラム。
１３．  コンピュータを、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段、
新規取引の支払金額を、ＰＯＳ装置から受信する第２の情報取得手段、
前記新規取引の前記支払金額に基づき、前記第１の情報を更新する更新手段、
前記ＰＯＳ装置に更新後の前記第１の情報を送信する送信手段、
として機能させるプログラム。
１４．  ＰＯＳ装置と情報処理装置とを有するＰＯＳシステムにおいて、
情報処理装置が、
過去の取引の支払金額を積算した積算金額、及び、所定のサービスを受けるための下限値である目標金額から前記積算金額を引いた残金額の少なくとも一方を含む第１の情報を印刷された発行済みのレシートから、前記第１の情報を取得する第１の情報取得手段と、
新規取引の支払金額を、前記ＰＯＳ装置から受信する第２の情報取得手段と、
前記新規取引の前記支払金額に基づき、前記第１の情報を更新する更新手段と、
前記ＰＯＳ装置に更新後の前記第１の情報を送信する送信手段と、
を有し、
前記ＰＯＳ装置が、
前記情報処理装置から受信した更新後の前記第１の情報を前記新規取引の情報が印刷される新規発行レシートに印刷する記録手段を有するＰＯＳシステム。
【符号の説明】
【０１６９】
１Ａ      プロセッサ
２Ａ      メモリ
３Ａ      入出力インタフェース
４Ａ      周辺回路
５Ａ      バス
１０      ＰＯＳ装置
１１      第１の情報取得部
１２      第２の情報取得部
１３      更新部
１４      記録部
１５      判断部
２０    情報処理装置
２１      第１の情報取得部
２２      第２の情報取得部
２３      更新部
２４      送信部
２５      判断部
１００    レシート
１１０    取引の情報
１２０    第１の情報
１２１    コード化前の情報
１２２    コード
２００    計算機
２０２    バス
２０４    プロセッサ
２０６    メモリ
２０８    ストレージ
２１０    入出力インタフェース
２１２    ネットワークインタフェース
２１４    タッチパネル
２１６    ドロア
２１８    釣り銭機
２２０    プリンタ
２２２    リーダ
【図１】
0006657728.tif 000002
【図２】
0006657728.tif 000003
【図３】
0006657728.tif 000004
【図４】
0006657728.tif 000005
【図５】
0006657728.tif 000006
【図６】
0006657728.tif 000007
【図７】
0006657728.tif 000008
【図８】
0006657728.tif 000009
【図９】
0006657728.tif 000010
【図１０】
0006657728.tif 000011
【図１１】
0006657728.tif 000012
【図１２】
0006657728.tif 000013
【図１３】
0006657728.tif 000014
【図１４】
0006657728.tif 000015
【図１５】
0006657728.tif 000016
【図１６】
0006657728.tif 000017
【図１７】
0006657728.tif 000018
【図１８】
0006657728.tif 000019
【図１９】
0006657728.tif 000020
【図２０】
0006657728.tif 000021
【図２１】
0006657728.tif 000022
【図２２】
0006657728.tif 000023